(57)【要約】【課題】より正確な地盤情報に基づいて杭基礎を設計可能な杭基礎の設計システム、設計方法及び設計プログラムを提供する。【解決手段】杭基礎の設計システムは、杭基礎の施工現場の杭基礎設計用地盤調査結果を用意するように構成された杭基礎設計用地盤調査結果用意部と、複数の位置情報及び当該複数の位置情報の各々と対応付けられた地盤調査結果の情報を含むデータベースを格納している記録部と、データベースを検索し、施工現場又は施工現場の周辺の位置情報と対応付けられた地盤調査結果を比較用地盤調査結果として用意するように構成された比較用地盤調査結果用意部と、杭基礎設計用地盤調査結果と比較用地盤調査結果を比較し、杭基礎設計用地盤調査結果の確度を判定するように構成された地盤調査結果判定部と、地盤調査結果判定部の判定結果に応じて、杭基礎を設計するように構成された杭基礎設計部と、を備える。【選択図】図１
2018084071.tif 000002
【特許請求の範囲】
【請求項１】
杭基礎の施工現場の杭基礎設計用地盤調査結果を用意するように構成された杭基礎設計用地盤調査結果用意部と、
複数の位置情報及び当該複数の位置情報の各々と対応付けられた地盤調査結果の情報を含むデータベースを格納している記録部と、
前記データベースを検索し、前記施工現場又は前記施工現場の周辺の位置情報と対応付けられた地盤調査結果を比較用地盤調査結果として用意するように構成された比較用地盤調査結果用意部と、
前記杭基礎設計用地盤調査結果と前記比較用地盤調査結果を比較し、前記杭基礎設計用地盤調査結果の確度を判定するように構成された地盤調査結果判定部と、
前記地盤調査結果判定部の判定結果に応じて、杭基礎を設計するように構成された杭基礎設計部と、
を備えることを特徴とする杭基礎の設計システム。
【請求項２】
前記データベースは、更に、前記複数の位置情報の各々と対応付けられた、杭孔掘削の際に地盤から掘削ドリルに作用した抵抗に対応する指標の測定結果の情報を含み、
前記地盤調査結果判定部は、前記指標の測定結果の情報を考慮するように構成されている
ことを特徴とする請求項１に記載の杭基礎の設計システム。
【請求項３】
前記杭孔掘削の条件に応じて前記指標の測定結果に重みを付ける指標測定結果重み付け部を更に備え、
前記地盤調査結果判定部は、前記指標の測定結果に付された重みを考慮するように構成されている
ことを特徴とする請求項２に記載の杭基礎の設計システム。
【請求項４】
前記データベースは、更に、前記複数の位置情報の各々と対応付けられた、杭孔掘削の際に地盤から掘削ドリルに作用した抵抗に対応する指標の測定結果の情報を含み、
前記位置情報が対応する前記指標の測定結果との相関の程度に基づいて、前記地盤調査結果に重みを付ける地盤調査結果重み付け部を更に備え、
前記地盤調査結果判定部は、前記地盤調査結果に付された重みを考慮するように構成されている
ことを特徴とする請求項１乃至３の何れか一項に記載の杭基礎の設計システム。
【請求項５】
前記データベースは、更に、前記複数の位置情報の各々と対応付けられた、杭孔掘削の際に地盤から掘削ドリルに作用した抵抗に対応する指標の測定結果の情報を含み、
前記位置情報が対応する前記指標の測定結果に基づいて、前記地盤調査結果の補正値を生成する地盤調査結果補正値生成部を更に備え、
前記地盤調査結果判定部は、前記地盤調査結果補正値生成部によって生成された前記補正値を考慮するように構成されている
ことを特徴とする請求項１乃至４の何れか一項に記載の杭基礎の設計システム。
【請求項６】
前記データベースに含まれる一の地盤調査結果の情報の補正値を、前記一の地盤調査結果の周辺の地盤調査結果の情報に基づいて生成する地盤調査結果整合部を更に備え、
前記地盤調査結果判定部は、前記地盤調査結果整合部によって生成された前記補正値を考慮するように構成されている
ことを特徴とする請求項１乃至５の何れか一項に記載の杭基礎の設計システム。
【請求項７】
前記杭基礎設計用地盤調査結果用意部は、前記データベースに含まれる地盤調査結果の情報に基づいて、前記施工現場にて実施する杭基礎設計用地盤調査の内容を決定するように構成された杭基礎設計用地盤調査内容決定部を含む
ことを特徴とする請求項１乃至６の何れか一項に記載の杭基礎の設計システム。
【請求項８】
前記データベースは、更に、前記複数の位置情報の各々と対応付けられた、杭孔掘削の際に地盤から掘削ドリルに作用した抵抗に対応する指標の測定結果の情報を含み、
前記杭基礎設計用地盤調査内容決定部は、前記指標の測定結果を考慮するように構成されている
ことを特徴とする請求項７に記載の杭基礎の設計システム。
【請求項９】
前記杭孔掘削の条件に応じて前記指標の測定結果に重みを付ける指標測定結果重み付け部を更に備え、
前記杭基礎設計用地盤調査内容決定部は、前記指標の測定結果に付された重みを考慮するように構成されている
ことを特徴とする請求項８に記載の杭基礎の設計システム。
【請求項１０】
前記位置情報が対応する前記指標の測定結果との相関の程度に基づいて、前記地盤調査結果に重みを付ける地盤調査結果重み付け部を更に備え、
前記杭基礎設計用地盤調査内容決定部は、前記地盤調査結果に付された重みを考慮するように構成されている
ことを特徴とする請求項８又は９に記載の杭基礎の設計システム。
【請求項１１】
前記位置情報が対応する前記指標の測定結果に基づいて、前記地盤調査結果の補正値を生成する地盤調査結果補正値生成部を更に備え、
前記杭基礎設計用地盤調査内容決定部は、前記地盤調査結果補正値生成部によって生成された前記補正値を考慮するように構成されている
ことを特徴とする請求項８乃至１０の何れか一項に記載の杭基礎の設計システム。
【請求項１２】
前記データベースに含まれる一の地盤調査結果の情報の補正値を、周辺の地盤調査結果の情報に基づいて生成する地盤調査結果整合部を更に備え、
前記杭基礎設計用地盤調査内容決定部は、前記地盤調査結果整合部によって生成された前記補正値を考慮するように構成されている
ことを特徴とする請求項７乃至１１の何れか一項に記載の杭基礎の設計システム。
【請求項１３】
杭基礎の施工現場の杭基礎設計用地盤調査結果を用意する杭基礎設計用地盤調査結果用意工程と、
複数の位置情報及び当該複数の位置情報の各々と対応付けられた地盤調査結果の情報を含むデータベースを用意するデータベース用意工程と、
前記データベースを検索し、前記施工現場又は前記施工現場の周辺の位置情報と対応付けられた地盤調査結果を比較用地盤調査結果として用意する比較用地盤調査結果用意工程と、
前記杭基礎設計用地盤調査結果と前記比較用地盤調査結果を比較し、前記杭基礎設計用地盤調査結果の確度を判定する地盤調査結果判定工程と、
前記地盤調査結果判定工程の判定結果に応じて杭基礎を設計する設計工程と、
を備えることを特徴とする杭基礎の設計方法。
【請求項１４】
前記データベースは、更に、前記複数の位置情報の各々と対応付けられた、杭孔掘削の際に地盤から掘削ドリルに作用した抵抗に対応する指標の測定結果の情報を含み、
前記地盤調査結果判定工程において、前記指標の測定結果の情報を考慮する
ことを特徴とする請求項１３に記載の杭基礎の設計方法。
【請求項１５】
前記杭孔掘削の条件に応じて前記指標の測定結果に重みを付ける指標測定結果重み付け工程を更に備え、
前記地盤調査結果判定工程において、前記指標の測定結果に付された重みを考慮する
ことを特徴とする請求項１４に記載の杭基礎の設計方法。
【請求項１６】
前記データベースは、更に、前記複数の位置情報の各々と対応付けられた、杭孔掘削の際に地盤から掘削ドリルに作用した抵抗に対応する指標の測定結果の情報を含み、
前記位置情報が対応する前記指標の測定結果との相関の程度に基づいて、前記地盤調査結果に重みを付ける地盤調査結果重み付け工程を更に備え、
前記地盤調査結果判定工程において、前記比較用地盤調査結果に付された重みを考慮する
ことを特徴とする請求項１３乃至１５の何れか一項に記載の杭基礎の設計方法。
【請求項１７】
前記データベースは、更に、前記複数の位置情報の各々と対応付けられた、杭孔掘削の際に地盤から掘削ドリルに作用した抵抗に対応する指標の測定結果の情報を含み、
前記位置情報が対応する前記指標の測定結果に基づいて、前記地盤調査結果の補正値を生成する地盤調査結果補正値生成工程を更に備え、
前記地盤調査結果判定工程において、前記地盤調査結果補正値生成工程によって生成された前記補正値を考慮する
ことを特徴とする請求項１３乃至１６の何れか一項に記載の杭基礎の設計方法。
【請求項１８】
前記データベースに含まれる一の地盤調査結果の情報の補正値を、周辺の地盤調査結果の情報に基づいて生成する地盤調査結果整合工程を更に備え、
前記地盤調査結果判定工程において、前記地盤調査結果整合工程によって生成された前記補正値を考慮する
ことを特徴とする請求項１３乃至１７の何れか一項に記載の杭基礎の設計方法。
【請求項１９】
前記杭基礎設計用地盤調査結果用意工程は、
前記データベースに含まれる地盤調査結果の情報に基づいて、前記施工現場にて実施する杭基礎設計用地盤調査の内容を決定する杭基礎設計用地盤調査内容決定工程と、
前記杭基礎設計用地盤調査内容決定工程において決定された杭基礎設計用地盤調査の内容に従って、前記施工現場で杭基礎設計用地盤調査を実施する地盤調査工程と、
を含む
ことを特徴とする請求項１３乃至１８の何れか一項に記載の杭基礎の設計方法。
【請求項２０】
前記データベースは、更に、前記複数の位置情報の各々と対応付けられた、杭孔掘削の際に地盤から掘削ドリルに作用した抵抗に対応する指標の測定結果の情報を含み、
前記杭基礎設計用地盤調査内容決定工程において、前記指標の測定結果を考慮する
ことを特徴とする請求項１９に記載の杭基礎の設計方法。
【請求項２１】
前記杭孔掘削の条件に応じて前記指標の測定結果に重みを付ける指標測定結果重み付け工程を更に備え、
前記杭基礎設計用地盤調査内容決定工程において、前記指標の測定結果に付された重みを考慮する
ことを特徴とする請求項２０に記載の杭基礎の設計方法。
【請求項２２】
前記位置情報が対応する前記指標の測定結果との相関の程度に基づいて、前記地盤調査結果に重みを付ける地盤調査結果重み付け工程を更に備え、
前記杭基礎設計用地盤調査内容決定工程において、前記地盤調査結果に付された重みを考慮する
ことを特徴とする請求項２０又は２１に記載の杭基礎の設計方法。
【請求項２３】
前記位置情報が対応する前記指標の測定結果に基づいて、前記地盤調査結果の補正値を生成する地盤調査結果補正値生成工程を更に備え、
前記杭基礎設計用地盤調査内容決定工程において、前記地盤調査結果補正値生成工程によって生成された前記補正値を考慮する
ことを特徴とする請求項２０乃至２２の何れか一項に記載の杭基礎の設計方法。
【請求項２４】
前記データベースに含まれる一の地盤調査結果の情報の補正値を、周辺の地盤調査結果の情報に基づいて生成する地盤調査結果整合工程を更に備え、
前記杭基礎設計用地盤調査内容決定工程において、前記地盤調査結果整合工程によって生成された前記補正値を考慮する
ことを特徴とする請求項２０乃至２３の何れか一項に記載の杭基礎の設計方法。
【請求項２５】
請求項１３乃至２４の何れか一項に記載の杭基礎の設計方法の少なくとも一部の工程を電子計算機に実行させるように構成されていることを特徴とする杭基礎の設計プログラム。
【発明の詳細な説明】
【技術分野】
【０００１】
本開示は杭基礎の設計システム、設計方法及び設計プログラムに関する。
【背景技術】
【０００２】
特許文献１は、杭基礎設計支援システムを開示している。当該杭基礎設計支援システムは、地質データやＮ値（貫入試験データ）に基づいて、杭基礎を設計可能である。杭基礎設計支援システムは、当該システムの利用者が入力した地質データやＮ値を利用することができるが、地質データベースに登録された地質データやＮ値も利用可能である。
【先行技術文献】
【特許文献】
【０００３】
【特許文献１】特開２００２−３５１９４１号公報
【発明の概要】
【発明が解決しようとする課題】
【０００４】
特許文献１が開示しているように、地質データやＮ値は、杭基礎の設計に必須であって、杭基礎の設計に大きな影響を及ぼす。このため、杭基礎の設計に用いられる地質データ（土質区分）やＮ値は、可及的に正確であるのが望ましい。
しかしながら、地質データやＮ値を得るための地盤調査は完全に自動化されておらず、地質データやＮ値の確度が低くなり易いという問題がある。例えば、土質区分でいえば、砂混じりシルトやシルト質細砂等があるが、土質を常に正確に判別することは容易ではない。一方、Ｎ値を計測する際には、錘を一定高さまで繰り返し引き上げる必要があるが、引き上げる高さにばらつきが生じることがある。また、そもそも地盤の性状、例えば支持層の不陸等に起因して、地質データやＮ値がばらつき易く、確度が低くなり易いこともある。
【０００５】
上述の事情に鑑みて、本発明の少なくとも一実施形態の目的は、より正確な地盤情報に基づいて杭基礎を設計可能な杭基礎の設計システム、設計方法及び設計プログラムを提供することにある。
【課題を解決するための手段】
【０００６】
（１）本発明の少なくとも一実施形態に係る杭基礎の設計システムは、
杭基礎の施工現場の杭基礎設計用地盤調査結果を用意するように構成された杭基礎設計用地盤調査結果用意部と、
複数の位置情報及び当該複数の位置情報の各々と対応付けられた地盤調査結果の情報を含むデータベースを格納している記録部と、
前記データベースを検索し、前記施工現場又は前記施工現場の周辺の位置情報と対応付けられた地盤調査結果を比較用地盤調査結果として用意するように構成された比較用地盤調査結果用意部と、
前記杭基礎設計用地盤調査結果と前記比較用地盤調査結果を比較し、前記杭基礎設計用地盤調査結果の確度を判定するように構成された地盤調査結果判定部と、
前記地盤調査結果判定部の判定結果に応じて、杭基礎を設計するように構成された杭基礎設計部と、
を備える。
【０００７】
上記構成（１）によれば、杭基礎設計用地盤調査結果と比較用地盤調査結果とを比較することで、杭基礎設計用地盤調査結果の確度を判定しているので、より正確な杭基礎設計用地盤調査結果に基づいて、杭基礎を設計可能である。
【０００８】
（２）幾つかの実施形態では、上記構成（１）において、
前記データベースは、更に、前記複数の位置情報の各々と対応付けられた、杭孔掘削の際に地盤から掘削ドリルに作用した抵抗に対応する指標の測定結果の情報を含み、
前記地盤調査結果判定部は、前記指標の測定結果の情報を考慮するように構成されている。
【０００９】
上記構成（２）によれば、指標の測定結果の情報を考慮して、杭基礎設計用地盤調査結果の確度を判定しているので、杭基礎設計用地盤調査結果の確度をより正確に判定することができる。この結果として、上記構成（２）によれば、より正確な杭基礎設計用地盤調査結果に基づいて、杭基礎を設計可能である。
【００１０】
（３）幾つかの実施形態では、上記構成（２）において、
前記杭孔掘削の条件に応じて前記指標の測定結果に重みを付ける指標測定結果重み付け部を更に備え、
前記地盤調査結果判定部は、前記指標の測定結果に付された重みを考慮するように構成されている。
【００１１】
上記構成（３）によれば、指標の測定結果に付された重みを考慮して、杭基礎設計用地盤調査結果の確度を判定しているので、杭基礎設計用地盤調査結果の確度をより正確に判定することができる。この結果として、上記構成（３）によれば、より正確な杭基礎設計用地盤調査結果に基づいて、杭基礎を設計可能である。
【００１２】
（４）幾つかの実施形態では、上記構成（１）乃至（３）の何れか１つにおいて、
前記データベースは、更に、前記複数の位置情報の各々と対応付けられた、杭孔掘削の際に地盤から掘削ドリルに作用した抵抗に対応する指標の測定結果の情報を含み、
前記位置情報が対応する前記指標の測定結果との相関の程度に基づいて、前記地盤調査結果に重みを付ける地盤調査結果重み付け部を更に備え、
前記地盤調査結果判定部は、前記地盤調査結果に付された重みを考慮するように構成されている。
【００１３】
上記構成（４）によれば、比較用地盤調査結果に付された重みを考慮して、杭基礎設計用地盤調査結果の確度を判定しているので、杭基礎設計用地盤調査結果の確度をより正確に判定することができる。この結果として、上記構成（４）によれば、より正確な杭基礎設計用地盤調査結果に基づいて、杭基礎を設計可能である。
【００１４】
（５）幾つかの実施形態では、上記構成（１）乃至（４）の何れか１つにおいて、
前記データベースは、更に、前記複数の位置情報の各々と対応付けられた、杭孔掘削の際に地盤から掘削ドリルに作用した抵抗に対応する指標の測定結果の情報を含み、
前記位置情報が対応する前記指標の測定結果に基づいて、前記地盤調査結果の補正値を生成する地盤調査結果補正値生成部を更に備え、
前記地盤調査結果判定部は、前記地盤調査結果補正値生成部によって生成された前記補正値を考慮するように構成されている。
【００１５】
上記構成（５）によれば、地盤調査結果補正値生成部が指標の測定結果に基づいて地盤調査結果の補正値を生成し、地盤調査結果判定部が、地盤調査結果補正値生成部によって生成された補正値を考慮しているので、より正確な杭基礎設計用地盤調査結果に基づいて、杭基礎を設計可能である。
【００１６】
（６）幾つかの実施形態では、上記構成（１）乃至（５）の何れか１つにおいて、
前記データベースに含まれる一の地盤調査結果の情報の補正値を、前記一の地盤調査結果の周辺の地盤調査結果の情報に基づいて生成する地盤調査結果整合部を更に備え、
前記地盤調査結果判定部は、前記地盤調査結果整合部によって生成された前記補正値を考慮するように構成されている。
【００１７】
上記構成（６）によれば、地盤調査結果整合部がデータベースに含まれる一の地盤調査結果の情報の補正値を、一の地盤調査結果の周辺の地盤調査結果の情報に基づいて生成し、地盤調査結果判定部が、地盤調査結果整合部によって生成された補正値を考慮しているので、より正確な杭基礎設計用地盤調査結果に基づいて、杭基礎を設計可能である。
【００１８】
（７）幾つかの実施形態では、上記構成（１）乃至（６）の何れか１つにおいて、
前記杭基礎設計用地盤調査結果用意部は、前記データベースに含まれる地盤調査結果の情報に基づいて、前記施工現場にて実施する杭基礎設計用地盤調査の内容を決定するように構成された杭基礎設計用地盤調査内容決定部を含む。
【００１９】
上記構成（７）によれば、データベースに含まれる地盤調査結果の情報に基づいて、施工現場にて実施する杭基礎設計用地盤調査の内容を決定するので、杭基礎設計用地盤調査を的確に実施することができる。この結果として、上記構成（７）によれば、より正確な杭基礎設計用地盤調査結果に基づいて、杭基礎を設計可能である。
【００２０】
（８）幾つかの実施形態では、上記構成（７）において、
前記データベースは、更に、前記複数の位置情報の各々と対応付けられた、杭孔掘削の際に地盤から掘削ドリルに作用した抵抗に対応する指標の測定結果の情報を含み、
前記杭基礎設計用地盤調査内容決定部は、前記指標の測定結果を考慮するように構成されている。
【００２１】
上記構成（８）によれば、指標の測定結果を考慮して、施工現場にて実施する杭基礎設計用地盤調査の内容を決定するので、杭基礎設計用地盤調査を的確に実施することができる。この結果として、上記構成（８）によれば、より正確な杭基礎設計用地盤調査結果に基づいて、杭基礎を設計可能である。
【００２２】
（９）幾つかの実施形態では、上記構成（８）において、
前記杭孔掘削の条件に応じて前記指標の測定結果に重みを付ける指標測定結果重み付け部を更に備え、
前記杭基礎設計用地盤調査内容決定部は、前記指標の測定結果に付された重みを考慮するように構成されている。
【００２３】
上記構成（９）によれば、指標の測定結果に付された重みを考慮して、施工現場にて実施する杭基礎設計用地盤調査の内容を決定するので、杭基礎設計用地盤調査を的確に実施することができる。この結果として、上記構成（９）によれば、より正確な杭基礎設計用地盤調査結果に基づいて、杭基礎を設計可能である。
【００２４】
（１０）幾つかの実施形態では、上記構成（８）又は（９）において、
前記位置情報が対応する前記指標の測定結果との相関の程度に基づいて、前記地盤調査結果に重みを付ける地盤調査結果重み付け部を更に備え、
前記杭基礎設計用地盤調査内容決定部は、前記地盤調査結果に付された重みを考慮するように構成されている。
【００２５】
上記構成（１０）によれば、地盤調査結果に付された重みを考慮して、施工現場にて実施する杭基礎設計用地盤調査の内容を決定するので、杭基礎設計用地盤調査を的確に実施することができる。この結果として、上記構成（１０）によれば、より正確な杭基礎設計用地盤調査結果に基づいて、杭基礎を設計可能である。
【００２６】
（１１）幾つかの実施形態では、上記構成（８）乃至（１０）の何れか１つにおいて、
前記位置情報が対応する前記指標の測定結果に基づいて、前記地盤調査結果の補正値を生成する地盤調査結果補正値生成部を更に備え、
前記杭基礎設計用地盤調査内容決定部は、前記地盤調査結果補正値生成部によって生成された前記補正値を考慮するように構成されている。
【００２７】
上記構成（１１）によれば、地盤調査結果補正値生成部が指標の測定結果に基づいて地盤調査結果の補正値を生成し、杭基礎設計用地盤調査内容決定部が、地盤調査結果補正値生成部によって生成された補正値を考慮しているので、より正確な杭基礎設計用地盤調査結果に基づいて、杭基礎を設計可能である。
【００２８】
（１２）幾つかの実施形態では、上記構成（７）乃至（１１）の何れか１つにおいて、
前記データベースに含まれる一の地盤調査結果の情報の補正値を、周辺の地盤調査結果の情報に基づいて生成する地盤調査結果整合部を更に備え、
前記杭基礎設計用地盤調査内容決定部は、前記地盤調査結果整合部によって生成された前記補正値を考慮するように構成されている。
【００２９】
上記構成（１２）によれば、地盤調査結果整合部がデータベースに含まれる一の地盤調査結果の情報の補正値を、一の地盤調査結果の周辺の地盤調査結果の情報に基づいて生成し、杭基礎設計用地盤調査内容決定部が、地盤調査結果整合部によって生成された補正値を考慮しているので、より正確な杭基礎設計用地盤調査結果に基づいて、杭基礎を設計可能である。
【００３０】
（１３）本発明の少なくとも一実施形態に係る杭基礎の設計方法は、
杭基礎の施工現場の杭基礎設計用地盤調査結果を用意する杭基礎設計用地盤調査結果用意工程と、
複数の位置情報及び当該複数の位置情報の各々と対応付けられた地盤調査結果の情報を含むデータベースを用意するデータベース用意工程と、
前記データベースを検索し、前記施工現場又は前記施工現場の周辺の位置情報と対応付けられた地盤調査結果を比較用地盤調査結果として用意する比較用地盤調査結果用意工程と、
前記杭基礎設計用地盤調査結果と前記比較用地盤調査結果を比較し、前記杭基礎設計用地盤調査結果の確度を判定する地盤調査結果判定工程と、
前記地盤調査結果判定工程の判定結果に応じて杭基礎を設計する設計工程と、
を備える。
【００３１】
上記構成（１３）によれば、杭基礎設計用地盤調査結果と比較用地盤調査結果とを比較することで、杭基礎設計用地盤調査結果の確度を判定しているので、より正確な杭基礎設計用地盤調査結果に基づいて、杭基礎を設計可能である。
【００３２】
（１４）幾つかの実施形態では、上記構成（１３）において、
前記データベースは、更に、前記複数の位置情報の各々と対応付けられた、杭孔掘削の際に地盤から掘削ドリルに作用した抵抗に対応する指標の測定結果の情報を含み、
前記地盤調査結果判定工程において、前記指標の測定結果の情報を考慮する。
【００３３】
上記構成（１４）によれば、指標の測定結果の情報を考慮して、杭基礎設計用地盤調査結果の確度を判定しているので、杭基礎設計用地盤調査結果の確度をより正確に判定することができる。この結果として、上記構成（１４）によれば、より正確な杭基礎設計用地盤調査結果に基づいて、杭基礎を設計可能である。
【００３４】
（１５）幾つかの実施形態では、上記構成（１４）において、
前記杭孔掘削の条件に応じて前記指標の測定結果に重みを付ける指標測定結果重み付け工程を更に備え、
前記地盤調査結果判定工程において、前記指標の測定結果に付された重みを考慮する。
【００３５】
上記構成（１５）によれば、指標の測定結果に付けられた重みを考慮して、杭基礎設計用地盤調査結果の確度を判定しているので、杭基礎設計用地盤調査結果の確度をより正確に判定することができる。この結果として、上記構成（１５）によれば、より正確な杭基礎設計用地盤調査結果に基づいて、杭基礎を設計可能である。
【００３６】
（１６）幾つかの実施形態では、上記構成（１３）乃至（１５）の何れか１つにおいて、
前記データベースは、更に、前記複数の位置情報の各々と対応付けられた、杭孔掘削の際に地盤から掘削ドリルに作用した抵抗に対応する指標の測定結果の情報を含み、
前記位置情報が対応する前記指標の測定結果との相関の程度に基づいて、前記地盤調査結果に重みを付ける地盤調査結果重み付け工程を更に備え、
前記地盤調査結果判定工程において、前記比較用地盤調査結果に付された重みを考慮する。
【００３７】
上記構成（１６）によれば、地盤調査結果に付された重みを考慮して、杭基礎設計用地盤調査結果の確度を判定しているので、杭基礎設計用地盤調査結果の確度をより正確に判定することができる。この結果として、上記構成（１６）によれば、より正確な杭基礎設計用地盤調査結果に基づいて、杭基礎を設計可能である。
【００３８】
（１７）幾つかの実施形態では、上記構成（１３）乃至（１６）の何れか１つにおいて、
前記データベースは、更に、前記複数の位置情報の各々と対応付けられた、杭孔掘削の際に地盤から掘削ドリルに作用した抵抗に対応する指標の測定結果の情報を含み、
前記位置情報が対応する前記指標の測定結果に基づいて、前記地盤調査結果の補正値を生成する地盤調査結果補正値生成工程を更に備え、
前記地盤調査結果判定工程において、前記地盤調査結果補正値生成工程によって生成された前記補正値を考慮する。
【００３９】
上記構成（１７）によれば、地盤調査結果補正値生成工程において指標の測定結果に基づいて地盤調査結果の補正値を生成し、地盤調査結果判定工程において地盤調査結果補正値生成工程によって生成された補正値を考慮しているので、より正確な杭基礎設計用地盤調査結果に基づいて、杭基礎を設計可能である。
【００４０】
（１８）幾つかの実施形態では、上記構成（１３）乃至（１７）の何れか１つにおいて、
前記データベースに含まれる一の地盤調査結果の情報の補正値を、周辺の地盤調査結果の情報に基づいて生成する地盤調査結果整合工程を更に備え、
前記地盤調査結果判定工程において、前記地盤調査結果整合工程によって生成された前記補正値を考慮する。
【００４１】
上記構成（１８）によれば、地盤調査結果整合工程においてデータベースに含まれる一の地盤調査結果の情報の補正値を、一の地盤調査結果の周辺の地盤調査結果の情報に基づいて生成し、地盤調査結果判定工程において、地盤調査結果整合工程によって生成された補正値を考慮しているので、より正確な杭基礎設計用地盤調査結果に基づいて、杭基礎を設計可能である。
【００４２】
（１９）幾つかの実施形態では、上記構成（１３）乃至（１８）の何れか１つにおいて、
前記杭基礎設計用地盤調査結果用意工程は、
前記データベースに含まれる地盤調査結果の情報に基づいて、前記施工現場にて実施する杭基礎設計用地盤調査の内容を決定する杭基礎設計用地盤調査内容決定工程と、
前記杭基礎設計用地盤調査内容決定工程において決定された杭基礎設計用地盤調査の内容に従って、前記施工現場で杭基礎設計用地盤調査を実施する地盤調査工程と、
を含む。
【００４３】
上記構成（１９）によれば、地盤調査結果の情報に基づいて、施工現場にて実施する杭基礎設計用地盤調査の内容を決定するので、杭基礎設計用地盤調査を的確に実施することができる。この結果として、上記構成（１９）によれば、より正確な杭基礎設計用地盤調査結果に基づいて、杭基礎を設計可能である。
【００４４】
（２０）幾つかの実施形態では、上記構成（１９）において、
前記データベースは、更に、前記複数の位置情報の各々と対応付けられた、杭孔掘削の際に地盤から掘削ドリルに作用した抵抗に対応する指標の測定結果の情報を含み、
前記杭基礎設計用地盤調査内容決定工程において、前記指標の測定結果を考慮する。
【００４５】
上記構成（２０）によれば、指標の測定結果を考慮して、施工現場にて実施する杭基礎設計用地盤調査の内容を決定するので、杭基礎設計用地盤調査を的確に実施することができる。この結果として、上記構成（２０）によれば、より正確な杭基礎設計用地盤調査結果に基づいて、杭基礎を設計可能である。
【００４６】
（２１）幾つかの実施形態では、上記構成（２０）において、
前記杭孔掘削の条件に応じて前記指標の測定結果に重みを付ける指標測定結果重み付け工程を更に備え、
前記杭基礎設計用地盤調査内容決定工程において、前記指標の測定結果に付された重みを考慮する。
【００４７】
上記構成（２１）によれば、指標の測定結果に付された重みを考慮して、施工現場にて実施する杭基礎設計用地盤調査の内容を決定するので、杭基礎設計用地盤調査を的確に実施することができる。この結果として、上記構成（２１）によれば、より正確な杭基礎設計用地盤調査結果に基づいて、杭基礎を設計可能である。
【００４８】
（２２）幾つかの実施形態では、上記構成（２０）又は（２１）において、
前記位置情報が対応する前記指標の測定結果との相関の程度に基づいて、前記地盤調査結果に重みを付ける地盤調査結果重み付け工程を更に備え、
前記杭基礎設計用地盤調査内容決定工程において、前記地盤調査結果に付された重みを考慮する。
【００４９】
上記構成（２２）によれば、地盤調査結果に付された重みを考慮して、施工現場にて実施する杭基礎設計用地盤調査の内容を決定するので、杭基礎設計用地盤調査を的確に実施することができる。この結果として、上記構成（２２）によれば、より正確な杭基礎設計用地盤調査結果に基づいて、杭基礎を設計可能である。
【００５０】
（２３）幾つかの実施形態では、上記構成（２０）乃至（２２）の何れか１つにおいて、
前記位置情報が対応する前記指標の測定結果に基づいて、前記地盤調査結果の補正値を生成する地盤調査結果補正値生成工程を更に備え、
前記杭基礎設計用地盤調査内容決定工程において、前記地盤調査結果補正値生成工程によって生成された前記補正値を考慮する。
【００５１】
上記構成（２３）によれば、地盤調査結果補正値生成工程において指標の測定結果に基づいて地盤調査結果の補正値を生成し、杭基礎設計用地盤調査内容決定工程において、地盤調査結果補正値生成工程によって生成された補正値を考慮しているので、より正確な杭基礎設計用地盤調査結果に基づいて、杭基礎を設計可能である。
【００５２】
（２４）幾つかの実施形態では、上記構成（２０）乃至（２３）の何れか１つにおいて、
前記データベースに含まれる一の地盤調査結果の情報の補正値を、周辺の地盤調査結果の情報に基づいて生成する地盤調査結果整合工程を更に備え、
前記杭基礎設計用地盤調査内容決定工程において、前記地盤調査結果整合工程によって生成された前記補正値を考慮する。
【００５３】
上記構成（２４）によれば、地盤調査結果整合工程においてデータベースに含まれる一の地盤調査結果の情報の補正値を、一の地盤調査結果の周辺の地盤調査結果の情報に基づいて生成し、杭基礎設計用地盤調査内容決定において、地盤調査結果整合工程によって生成された補正値を考慮しているので、より正確な杭基礎設計用地盤調査結果に基づいて、杭基礎を設計可能である。
【００５４】
（２５）本発明の少なくとも一実施形態に係る杭基礎の施工方法は、
上記構成（１３）乃至（２４）の何れか１つに記載の杭基礎の設計方法によって作成された杭基礎の設計図に基づいて杭基礎を構築する杭基礎構築工程を備える。
【００５５】
上記構成（２５）によれば、上記構成（１３）乃至（２４）の何れか１つに記載の杭基礎の設計方法によって杭基礎の設計図を作成することにより、正確な地盤情報を基礎として杭基礎の設計図が作成される。この結果、構築された杭基礎が所期の支持力を確実に発揮する。
【００５６】
（２６）本発明の少なくとも一実施形態に係る杭基礎の設計プログラムは、
上記構成（１３）乃至（２４）の何れか１つに記載の杭基礎の設計方法の少なくとも一部の工程を電子計算機に実行させるように構成されている。
【００５７】
上記構成（２６）によれば、上記構成（１３）乃至（２４）の何れか１つに記載の杭基礎の設計方法の少なくとも一部の工程を電子計算機に実行させるので、大量の情報を活用可能であり、より正確な地盤情報に基づいて、杭基礎を容易に設計可能である。
【発明の効果】
【００５８】
本発明の少なくとも一実施形態によれば、より正確な地盤情報に基づいて杭基礎を設計可能な杭基礎の設計システム、設計方法及び設計プログラムが提供される。
【図面の簡単な説明】
【００５９】
【図１】本発明の一実施形態に係る杭基礎の設計システムの概略的な構成を示すブロック図である。
【図２】本発明の他の一実施形態に係る杭基礎の設計システムの概略的な構成を示すブロック図である。
【図３】本発明の一実施形態に係る杭基礎の設計方法の概略的な手順を示すフローチャートである。
【図４】本発明の他の一実施形態に係る杭基礎の設計方法の概略的な手順を示すフローチャートである。
【図５】本発明の他の一実施形態に係る杭基礎の設計方法の概略的な手順を示すフローチャートである。
【図６】本発明の他の一実施形態に係る杭基礎の設計方法の概略的な手順を示すフローチャートである。
【図７】図６に示した杭基礎の設計方法を杭基礎施工業者が実行した場合の概略的なタイミングチャートの一例を示す図である。
【図８】図４に示した杭基礎の設計方法を杭基礎施工業者が実行した場合の概略的なタイミングチャートの一例を示す図である。
【発明を実施するための形態】
【００６０】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００６１】
図１は、本発明の一実施形態に係る杭基礎の設計システム（以下、単に設計システムとも称する）の概略的な構成を示すブロック図である。
設計システムは、杭基礎設計用地盤調査結果用意部１０と、記録部１２と、比較用地盤調査結果用意部１４と、地盤調査結果判定部１６と、杭基礎設計部１８とを備えている。杭基礎設計用地盤調査結果用意部１０、比較用地盤調査結果用意部１４、地盤調査結果判定部１６及び杭基礎設計部１８は、例えば、ＣＰＵ（中央演算処理装置）、内部メモリ及び入出力部等を有するコンピュータ（電子計算機）によって構成される。記録部１２は、例えば、ハードディスク等の外部記憶装置によって構成される。
【００６２】
杭基礎設計用地盤調査結果用意部１０は、これから構築しようとしている杭基礎の施工現場の地盤調査結果（杭基礎設計用地盤調査結果）を用意するように構成されている。例えば、杭基礎設計用地盤調査結果用意部１０は、電子メール等によって送られてきた杭基礎設計用地盤調査結果を受け取るように構成されている。また例えば、杭基礎設計用地盤調査結果用意部１０は、杭基礎設計用地盤調査結果が作業者によって直接入力されるように構成されていてもよい。
【００６３】
記録部１２は、データベース２０を格納している。データベース２０は、複数の位置情報及び当該複数の位置情報の各々と対応付けられた地盤調査結果の情報を含んでいる。
位置情報は、住所であってもよいし、緯度及び経度であってもよい。
地盤調査結果は、例えばボーリング調査によって得られるものであり、少なくとも、地質（土質区分）の深さ方向での分布を表す地質データと、標準貫入試験で得られるＮ値の深さ方向での分布を表すＮ値データとを含んでいればよい。地盤調査結果は、更に支持層の深さや、地下水位を含んでいてもよい。
【００６４】
比較用地盤調査結果用意部１４は、データベース２０を検索し、施工現場又は施工現場の周辺の位置情報と対応付けられた地盤調査結果を比較用地盤調査結果として用意するように構成されている。
【００６５】
地盤調査結果判定部１６は、杭基礎設計用地盤調査結果用意部１０によって用意された杭基礎設計用地盤調査結果と比較用地盤調査結果用意部１４によって用意された比較用地盤調査結果を比較し、杭基礎設計用地盤調査結果の確度を判定するように構成されている。
判定結果としては、例えば、比較用地盤調査結果との比較から、杭基礎設計用地盤調査結果に含まれる地質データ及びＮ値データの確度がいずれも高いと判定される場合がある。
また例えば、比較用地盤調査結果との比較から、杭基礎設計用地盤調査結果に含まれる地質データ及びＮ値の確度が低いと判定される場合がある。
【００６６】
杭基礎設計部１８は、地盤調査結果判定部１６による判定結果に基づいて、杭基礎を設計するように構成されている。
例えば、杭基礎設計用地盤調査結果の確度が高いと判定された場合、杭基礎設計部１８は、杭基礎設計用地盤調査結果をそのまま利用して、杭基礎を設計する。杭基礎を設計するとは、杭基礎によって支持される上部構造体に応じて杭基礎が所定の許容支持力を有するように杭基礎全体の構成を決定することであり、例えば、使用する杭の仕様、杭の本数、杭孔の数、杭孔の深さ、杭孔の位置等を決定することである。
一方、杭基礎設計用地盤調査結果の確度が低いと判定された場合、杭基礎設計部１８は、杭基礎設計用地盤調査結果をそのまま利用するのではなく、安全を見込んで、杭基礎を設計する。例えば、杭基礎設計用地盤調査結果のＮ値データが高めに出ていると判定された場合、杭基礎設計部１８は、Ｎ値データを低めに見積もって、杭基礎を設計する。また例えば、杭基礎設計用地盤調査結果の確度が低いと判定された場合、確度が高くなるように杭基礎設計用地盤調査結果を補正してもよい。そして、補正に用いた補正係数や補正後の杭基礎設計用地盤調査結果の値を、データベース２０に位置情報と関連付けて登録してもよい。
あるいは、杭基礎設計用地盤調査結果の確度が低いと判定された場合、杭基礎設計部１８は、追加の地盤調査結果を要求するように構成されていてもよい。例えば、杭基礎設計用地盤調査を行った地点間を指定して、再び調査をするように要求したり、比較用地盤調査結果を参照して不陸等が生じていると推測される施工現場の特定の位置を指定して調査をするように要求するように構成されていてもよい。
【００６７】
上記実施形態によれば、杭基礎設計用地盤調査結果と比較用地盤調査結果とを比較することで、杭基礎設計用地盤調査結果の確度を判定しているので、より正確な杭基礎設計用地盤調査結果に基づいて、杭基礎を設計可能である。
【００６８】
幾つかの実施形態では、データベース２０は、更に、複数の位置情報の各々と対応付けられた、杭孔掘削の際に地盤から掘削ドリルに作用した抵抗に対応する指標の測定結果の情報を含む。そして、地盤調査結果判定部１６は、指標の測定結果を考慮するように構成されている。
指標としては、例えば、掘削ドリルを回転させるモータが電動モータである場合には電動モータに供給される電流値、電流値の時間積分値、油圧モータである場合には油圧モータに供給される油圧値、油圧値の時間積分値、或いは、掘削ドリルに作用するトルク値、トルク値の時間積分値等を用いることができる。なお、指標の測定結果は、指標の測定結果の深さ方向の分布を表すものである。
【００６９】
指標の測定結果の情報を考慮する一例として、複数の比較用地盤調査結果の中から、信頼性の高い比較用地盤調査結果を抽出するために、指標の測定結果を用いることがあげられる。比較用地盤調査結果の中には、土質区分やＮ値データの確度が低く、信頼性が低いものが含まれている可能性がある。信頼性の低い比較用地盤調査結果と基礎設計用地盤調査結果とを比較した場合、基礎設計用地盤調査結果の確度が実際には高かったとしても、誤って確度が低いと判定されてしまう虞がある。
そこで、比較用地盤調査結果の中から信頼性の高いものを抽出し、高い信頼性を有する比較用地盤調査結果と基礎設計用地盤調査結果を比較することが大切になるが、如何にして比較用地盤調査結果の信頼性を確認するかが問題となる。
ここで、指標の測定結果は、土質区分やＮ値データとある程度の相関を有し、場合によっては高い相関を有する。このため、指標の測定結果と相関が高い比較用地盤調査結果を抽出すれば、土質区分やＮ値データの確度が高い、信頼性の高い比較用地盤調査結果を抽出することができる。
かくして、位置が対応する指標の測定結果との相関が高い比較用地盤調査結果のみを抽出し、抽出した比較用地盤調査結果と基礎設計用地盤調査結果とを比較すれば、信頼性の高い比較用地盤調査結果と基礎設計用地盤調査結果とを比較することが可能となり、基礎設計用地盤調査結果の確度を正確に判定することができる。
また指標の測定結果の情報を考慮する一例として、指標の測定結果と、杭基礎設計用地盤調査結果とを直接比較し、確度を判定してもよい。指標の測定結果は、土質区分やＮ値データとある程度の相関を有し、場合によっては高い相関を有する。このため、指標の測定結果と杭基礎設計用地盤調査結果を比較して、杭基礎設計用地盤調査結果の確度を判定することは可能である。
一方、杭基礎の施工現場では、地盤調査の調査箇所の数よりも、杭孔の数の方が多く、指標の測定結果は多量に存在する。各指標の測定結果は、比較用地盤調査結果ほどは、土質区分やＮ値データを具体的に表してはいないものの、多量の指標の測定結果を用いれば、土質区分やＮ値データをある程度正確に推定することができる。
このため、指標の測定結果と杭基礎設計用地盤調査結果を直接比較しても、杭基礎設計用地盤調査結果の確度を判定することは可能である。
【００７０】
かくして上記実施形態によれば、指標の測定結果の情報を考慮して、杭基礎設計用地盤調査結果の確度を判定しているので、杭基礎設計用地盤調査結果の確度をより正確に判定することができる。この結果として、上記実施形態によれば、より正確な杭基礎設計用地盤調査結果に基づいて、杭基礎を設計可能である。
【００７１】
幾つかの実施形態では、設計システムは、更に、杭孔掘削の条件に応じて指標の測定結果に重みを付ける指標測定結果重み付け部２２を更に備えている。指標測定結果重み付け部２２は、例えばコンピュータによって構成することができる。そして、地盤調査結果判定部１６は、指標の測定結果に付された重みの情報を考慮するように構成されている。
【００７２】
指標の測定結果は、杭孔掘削の条件に応じて変化する。このため、現状では、全ての指標の測定結果が、地盤調査結果と比較可能であるわけではない。そこで、地盤調査結果と比較可能な所定の杭孔掘削条件で杭孔が掘削されたときに測定された指標の測定結果には大きな重みを付けておき、大きな重みが付けられた指標の測定結果と比較用地盤調査結果とを比較することで、より信頼性の高い比較用地盤調査結果を抽出することができる。或いは、より大きな重みが付された指標の測定結果と、杭基礎設計用地盤調査結果とを直接比較してもよい。
【００７３】
かくして上記実施形態によれば、指標の測定結果に付けられた重みの情報を考慮して、杭基礎設計用地盤調査結果の確度を判定しているので、杭基礎設計用地盤調査結果の確度をより正確に判定することができる。この結果として、上記実施形態によれば、より正確な杭基礎設計用地盤調査結果に基づいて、杭基礎を設計可能である。
なお、指標の測定結果に付される重みは、段階的に変化するものであっても、連続的に変化するものであってもよく、例えば、０と１のみであってもよい。
【００７４】
幾つかの実施形態では、データベース２０は、複数の位置情報の各々と対応付けられた、杭孔掘削の際に地盤から掘削ドリルに作用した抵抗に対応する指標の測定結果の情報を更に含む。そして、設計システムは、位置情報が対応する指標の測定結果との相関の程度に基づいて、地盤調査結果に重みを付ける地盤調査結果重み付け部２４を更に備える。地盤調査結果重み付け部２４は、例えばコンピュータによって構成することができる。地盤調査結果判定部１６は、地盤調査結果に付された重みを考慮するように構成されている。
【００７５】
地盤調査結果には、信頼性が高いもののみではなく、相対的に信頼性が低いものも含まれている可能性がある。そこで、上記実施形態によれば、指標の測定結果との相関の程度に基づいて、地盤調査結果に重みを付けることで、この重みを地盤調査結果の信頼性の目安とすることができる。例えば、指標の測定結果との相関が高いほど、大きな重みを地盤調査結果に付けておき、比較用地盤調査結果を用意する際、大きな重みが付された地盤調査結果のみ検索するようにすればよい。
【００７６】
かくして上記実施形態によれば、比較用地盤調査結果に付された重みを考慮して、杭基礎設計用地盤調査結果の確度を判定しているので、杭基礎設計用地盤調査結果の確度をより正確に判定することができる。この結果として、上記実施形態によれば、より正確な杭基礎設計用地盤調査結果に基づいて、杭基礎を設計可能である。
【００７７】
幾つかの実施形態では、データベースは２０、更に、複数の位置情報の各々と対応付けられた、杭孔掘削の際に地盤から掘削ドリルに作用した抵抗に対応する指標の測定結果の情報を含む。そして、設計システムは、位置情報が対応する指標の測定結果に基づいて、地盤調査結果の補正値を生成する地盤調査結果補正値生成部２６を更に備える。地盤調査結果補正値生成部２６は、例えばコンピュータによって構成することができる。地盤調査結果判定部１６は、地盤調査結果補正値生成部２６によって生成された補正値を考慮して杭基礎設計用地盤調査結果の確度を判定するように構成されている。
【００７８】
上記実施形態によれば、地盤調査結果補正値生成部２６が指標の測定結果に基づいて地盤調査結果の補正値を生成し、地盤調査結果判定部１６が、地盤調査結果補正値生成部２６によって生成された補正値を考慮しているので、より正確な杭基礎設計用地盤調査結果に基づいて、杭基礎を設計可能である。
【００７９】
幾つかの実施形態では、設計システムは、データベースに含まれる任意の一つの地盤調査結果の情報の補正値を、同じくデータベースに含まれる、当該一つの地盤調査結果が得られた位置の周辺の地盤調査結果の情報に基づいて生成する地盤調査結果整合部２８を更に備える。
補正値とは、例えば、一つの地盤調査結果の情報に含まれる土質区分を他の土質区分へと変更するものであったり、一つの地盤調査結果の情報に含まれるＮ値のデータを補正するものである。
地盤調査結果整合部２８は、例えばコンピュータによって構成することができる。そして、地盤調査結果判定部１６は、地盤調査結果整合部２８によって生成された補正値を考慮して、杭基礎設計用地盤調査結果の確度を判定するように構成されている。
地盤の地層は、ある程度の範囲に渡って水平方向に連続的に変化することが多いため、特定の位置の地盤調査結果が、周辺の位置の地盤調査結果と顕著に異なる場合、当該特定位置の地盤調査結果の信頼性が低いことが考えられる。
【００８０】
そこで上記実施形態では、地盤調査結果整合部２８がデータベース２０に含まれる任意の一つの地盤調査結果の情報の補正値を、同じくデータベースに含まれる、当該一つの地盤調査結果が得られた位置の周辺の地盤調査結果の情報に基づいて生成している。地盤調査結果判定部１６が、地盤調査結果整合部２８によって生成された補正値を考慮することにより、より正確な杭基礎設計用地盤調査結果に基づいて、杭基礎を設計可能である。
【００８１】
図２は、本発明の他の一実施形態に係る杭基礎の設計システム（以下、単に設計システムとも称する）の概略的な構成を示すブロック図である。なお、図１の設計システムと同一または類似の構成については、同一の符号を付して説明を省略又は簡略化する。
【００８２】
幾つかの実施形態では、図２に示したように、杭基礎設計用地盤調査結果用意部１０は、データベース２０に含まれる地盤調査結果の情報に基づいて、施工現場にて実施する杭基礎設計用地盤調査の内容を決定するように構成された杭基礎設計用地盤調査内容決定部３０を含む。杭基礎設計用地盤調査の内容とは、例えば、ボーリング調査を実施する位置（ボーリング位置）、ボーリング調査を実施する深さ（ボーリング深度）、及び、必要に応じて他の調査（コーン貫入試験や比抵抗試験等）の実施の有無等である。
【００８３】
例えば支持層に傾斜、不陸、しゅう曲等がある場合、ボーリング調査の位置を適切に設定しなければ、施工現場の各位置で支持層の深さを的確に把握することができない。支持層の深さを的確に把握することができなければ、杭孔の深さを的確に決定することも困難である。
【００８４】
この点、上記実施形態によれば、データベース２０に含まれる地盤調査結果の情報に基づいて、施工現場にて実施する杭基礎設計用地盤調査の内容を決定するので、杭基礎設計用地盤調査を的確に実施することができる。例えば、支持層に傾斜、不陸、しゅう曲等があるか否かは、施工現場周辺の過去の地盤調査結果から知ることができるので、それに応じて杭基礎設計用地盤調査の内容を決定することができる。この結果として、上記実施形態によれば、より正確な杭基礎設計用地盤調査結果に基づいて、杭基礎を設計可能である。
【００８５】
幾つかの実施形態では、データベース２０は、複数の位置情報の各々と対応付けられた、杭孔掘削の際に地盤から掘削ドリルに作用した抵抗に対応する指標の測定結果の情報を含む。そして、杭基礎設計用地盤調査内容決定部３０は、指標の測定結果を考慮するように構成されている。
【００８６】
上記実施形態によれば、指標の測定結果を考慮して、施工現場にて実施する杭基礎設計用地盤調査の内容を決定するので、杭基礎設計用地盤調査を的確に実施することができる。この結果として、上記実施形態によれば、より正確な杭基礎設計用地盤調査結果に基づいて、杭基礎を設計可能である。
【００８７】
幾つかの実施形態では、設計システムは、杭孔掘削の条件に応じて指標の測定結果に重みを付ける指標測定結果重み付け部２２を更に備える。そして、杭基礎設計用地盤調査内容決定部３０は、指標の測定結果に付された重みを考慮するように構成されている。
【００８８】
上記実施形態によれば、指標の測定結果に付された重みを考慮して、施工現場にて実施する杭基礎設計用地盤調査の内容を決定するので、杭基礎設計用地盤調査を的確に実施することができる。この結果として、上記実施形態によれば、より正確な杭基礎設計用地盤調査結果に基づいて、杭基礎を設計可能である。
【００８９】
幾つかの実施形態では、位置情報が対応する指標の測定結果との相関の程度に基づいて、前記地盤調査結果に重みを付ける地盤調査結果重み付け部２４を更に備える。そして、杭基礎設計用地盤調査内容決定部３０は、比較用地盤調査結果に付された重みを考慮する。
【００９０】
上記実施形態によれば、比較用地盤調査結果の情報に付された重みを考慮して、施工現場にて実施する杭基礎設計用地盤調査の内容を決定するので、杭基礎設計用地盤調査を的確に実施することができる。この結果として、上記実施形態によれば、より正確な杭基礎設計用地盤調査結果に基づいて、杭基礎を設計可能である。
【００９１】
幾つかの実施形態では、設計システムは、位置情報が対応する指標の測定結果に基づいて、地盤調査結果の補正値を生成する地盤調査結果補正値生成部２６を更に備える。そして、杭基礎設計用地盤調査内容決定部３０は、地盤調査結果補正値生成部２６によって生成された補正値を考慮するように構成されている。
【００９２】
上記実施形態によれば、地盤調査結果補正値生成部２６が指標の測定結果に基づいて地盤調査結果の補正値を生成し、杭基礎設計用地盤調査内容決定部３０が、地盤調査結果補正値生成部２６によって生成された補正値を考慮して、施工現場にて実施する杭基礎設計用地盤調査の内容を決定するので、より正確な杭基礎設計用地盤調査結果に基づいて、杭基礎を設計可能である。
【００９３】
幾つかの実施形態では、データベース２０に含まれる一の地盤調査結果の情報の補正値を、周辺の地盤調査結果の情報に基づいて生成する地盤調査結果整合部２８を更に備える。そして、杭基礎設計用地盤調査内容決定部３０は、地盤調査結果整合部２８によって生成された補正値を考慮するように構成されている。
【００９４】
上記実施形態によれば、地盤調査結果整合部２８がデータベース２０に含まれる一の地盤調査結果の情報の補正値を、一の地盤調査結果の周辺の地盤調査結果の情報に基づいて生成し、杭基礎設計用地盤調査内容決定部３０が、地盤調査結果整合部２８によって生成された補正値を考慮して、施工現場にて実施する杭基礎設計用地盤調査の内容を決定するので、より正確な杭基礎設計用地盤調査結果に基づいて、杭基礎を設計可能である。
【００９５】
図３は、本発明の一実施形態に係る杭基礎の設計方法（以下単に設計方法とも称する）の概略的な手順を示すフローチャートである。
図３に示した設計方法は、例えば図１や図２に示した設計システムによって実行可能である。設計方法は、杭基礎の施工現場の杭基礎設計用地盤調査結果を用意する杭基礎設計用地盤調査結果用意工程Ｓ１と、複数の位置情報及び当該複数の位置情報の各々と対応付けられた地盤調査結果の情報を含むデータベース２０を用意するデータベース用意工程Ｓ３と、データベース２０を検索し、施工現場又は施工現場の周辺の位置情報と対応付けられた地盤調査結果を比較用地盤調査結果として用意する比較用地盤調査結果用意工程Ｓ５と、杭基礎設計用地盤調査結果と比較用地盤調査結果を比較し、杭基礎設計用地盤調査結果の確度を判定する地盤調査結果判定工程Ｓ７と、地盤調査結果判定工程の判定結果に応じて杭基礎を設計する設計工程Ｓ９と、を備える。
【００９６】
上記実施形態によれば、杭基礎設計用地盤調査結果と比較用地盤調査結果とを比較することで、杭基礎設計用地盤調査結果の確度を判定しているので、より正確な杭基礎設計用地盤調査結果に基づいて、杭基礎を設計可能である。
【００９７】
幾つかの実施形態では、データベース２０は、更に、複数の位置情報の各々と対応付けられた、杭孔掘削の際に地盤から掘削ドリルに作用した抵抗に対応する指標の測定結果の情報を含む。そして、地盤調査結果判定工程Ｓ７において、指標の測定結果の情報を考慮する。
【００９８】
上記実施形態によれば、指標の測定結果の情報を考慮して、杭基礎設計用地盤調査結果の確度を判定しているので、杭基礎設計用地盤調査結果の確度をより正確に判定することができる。この結果として、上記実施形態によれば、より正確な杭基礎設計用地盤調査結果に基づいて、杭基礎を設計可能である。
【００９９】
図４は、本発明の他の一実施形態に係る杭基礎の設計方法（以下単に設計方法とも称する）の概略的な手順を示すフローチャートである。なお、図３の設計方法と同一又は類似の工程については、同一の符号を付して説明を省略又は簡略化する。
幾つかの実施形態では、設計方法は、杭孔掘削の条件に応じて指標の測定結果に重みを付ける指標測定結果重み付け工程Ｓ１１を更に備える。そして、地盤調査結果判定工程Ｓ７において、指標の測定結果に付された重みを考慮する。指標測定結果重み付け工程Ｓ１１で測定結果に付された重みは、データベース２０に登録可能である。
【０１００】
上記実施形態によれば、指標の測定結果に付けられた重みを考慮して、杭基礎設計用地盤調査結果の確度を判定しているので、杭基礎設計用地盤調査結果の確度をより正確に判定することができる。この結果として、上記実施形態によれば、より正確な杭基礎設計用地盤調査結果に基づいて、杭基礎を設計可能である。
【０１０１】
幾つかの実施形態では、データベース２０は、更に、複数の位置情報の各々と対応付けられた、杭孔掘削の際に地盤から掘削ドリルに作用した抵抗に対応する指標の測定結果の情報を含む。そして、設計方法は、位置情報が対応する指標の測定結果との相関の程度に基づいて、地盤調査結果に重みを付ける地盤調査結果重み付け工程Ｓ１３を更に備え、地盤調査結果判定工程Ｓ７において、比較用地盤調査結果に付された重みを考慮する。地盤調査結果重み付け工程Ｓ１３で地盤調査結果に付された重みは、データベース２０に登録可能である。
【０１０２】
上記実施形態によれば、地盤調査結果に付された重みを考慮して、杭基礎設計用地盤調査結果の確度を判定しているので、杭基礎設計用地盤調査結果の確度をより正確に判定することができる。この結果として、上記実施形態によれば、より正確な杭基礎設計用地盤調査結果に基づいて、杭基礎を設計可能である。
【０１０３】
幾つかの実施形態では、データベース２０は、更に、複数の位置情報の各々と対応付けられた、杭孔掘削の際に地盤から掘削ドリルに作用した抵抗に対応する指標の測定結果の情報を含む。そして、設計方法は、位置情報が対応する指標の測定結果に基づいて、地盤調査結果の補正値を生成する地盤調査結果補正値生成工程Ｓ１５を更に備え、地盤調査結果判定工程Ｓ７において、地盤調査結果補正値生成工程Ｓ１５によって生成された補正値を考慮する。
【０１０４】
上記実施形態によれば、地盤調査結果補正値生成工程Ｓ１５において指標の測定結果に基づいて地盤調査結果の補正値を生成し、地盤調査結果判定工程Ｓ７において地盤調査結果補正値生成工程Ｓ１５によって生成された補正値を考慮しているので、より正確な杭基礎設計用地盤調査結果に基づいて、杭基礎を設計可能である。
【０１０５】
幾つかの実施形態では、データベース２０に含まれる一の地盤調査結果の情報の補正値を、周辺の地盤調査結果の情報に基づいて生成する地盤調査結果整合工程Ｓ１７を更に備える。そして、地盤調査結果判定工程Ｓ７において、地盤調査結果整合工程Ｓ１７によって生成された補正値を考慮する。
【０１０６】
上記実施形態によれば、地盤調査結果整合工程Ｓ１７においてデータベース２０に含まれる一の地盤調査結果の情報の補正値を、一の地盤調査結果の周辺の地盤調査結果の情報に基づいて生成し、地盤調査結果判定工程Ｓ７において、地盤調査結果整合工程Ｓ１７によって生成された補正値を考慮しているので、より正確な杭基礎設計用地盤調査結果に基づいて、杭基礎を設計可能である。
【０１０７】
図５は、本発明の他の一実施形態に係る杭基礎の設計方法（以下単に設計方法とも称する）の概略的な手順を示すフローチャートである。図５の設計方法は、例えば、図２の設計システムを用いて実施可能である。なお、図３又は図４の設計方法と同一又は類似の工程については、同一の符号を付して説明を省略又は簡略化する。
【０１０８】
幾つかの実施形態では、杭基礎設計用地盤調査結果用意工程Ｓ１は、データベース２０に含まれる地盤調査結果の情報に基づいて、施工現場にて実施する杭基礎設計用地盤調査の内容を決定する杭基礎設計用地盤調査内容決定工程Ｓ１９と、杭基礎設計用地盤調査内容決定工程Ｓ１９において決定された杭基礎設計用地盤調査の内容に従って、施工現場で杭基礎設計用地盤調査を実施する地盤調査工程Ｓ２１と、を含む。
【０１０９】
上記実施形態によれば、地盤調査結果の情報に基づいて、施工現場にて実施する杭基礎設計用地盤調査の内容を決定するので、杭基礎設計用地盤調査を的確に実施することができる。この結果として、上記実施形態によれば、より正確な杭基礎設計用地盤調査結果に基づいて、杭基礎を設計可能である。
【０１１０】
幾つかの実施形態では、データベース２０は、更に、複数の位置情報の各々と対応付けられた、杭孔掘削の際に地盤から掘削ドリルに作用した抵抗に対応する指標の測定結果の情報を含む。そして、杭基礎設計用地盤調査内容決定工程Ｓ１９において、指標の測定結果を考慮する。
【０１１１】
上記実施形態によれば、指標の測定結果を考慮して、施工現場にて実施する杭基礎設計用地盤調査の内容を決定するので、杭基礎設計用地盤調査を的確に実施することができる。この結果として、上記実施形態によれば、より正確な杭基礎設計用地盤調査結果に基づいて、杭基礎を設計可能である。
【０１１２】
図６は、本発明の他の一実施形態に係る杭基礎の設計方法（以下単に設計方法とも称する）の概略的な手順を示すフローチャートである。図６の設計方法は、例えば、図２の設計システムを用いて実施可能である。なお、図３乃至図５の設計方法と同一又は類似の工程については、同一の符号を付して説明を省略又は簡略化する。
幾つかの実施形態では、設計方法は、杭孔掘削の条件に応じて指標の測定結果に重みを付ける指標測定結果重み付け工程Ｓ１１を更に備える。そして、杭基礎設計用地盤調査内容決定工程Ｓ１９において、指標の測定結果に付された重みを考慮する。
【０１１３】
上記実施形態によれば、指標の測定結果に付された重みを考慮して、施工現場にて実施する杭基礎設計用地盤調査の内容を決定するので、杭基礎設計用地盤調査を的確に実施することができる。この結果として、上記実施形態によれば、より正確な杭基礎設計用地盤調査結果に基づいて、杭基礎を設計可能である。
【０１１４】
幾つかの実施形態では、設計方法は、位置情報が対応する指標の測定結果との相関の程度に基づいて、地盤調査結果に重みを付ける地盤調査結果重み付け工程Ｓ１３を更に備える。そして、杭基礎設計用地盤調査内容決定工程Ｓ１９において、地盤調査結果に付された重みを考慮する。
【０１１５】
上記実施形態によれば、地盤調査結果に付された重みを考慮して、施工現場にて実施する杭基礎設計用地盤調査の内容を決定するので、杭基礎設計用地盤調査を的確に実施することができる。この結果として、上記実施形態によれば、より正確な杭基礎設計用地盤調査結果に基づいて、杭基礎を設計可能である。
【０１１６】
幾つかの実施形態では、設計方法は、位置情報が対応する指標の測定結果に基づいて、地盤調査結果の補正値を生成する地盤調査結果補正値生成工程Ｓ１５を更に備える。そして、杭基礎設計用地盤調査内容決定工程Ｓ１９において、地盤調査結果補正値生成工程Ｓ１５によって生成された補正値を考慮する。
【０１１７】
上記実施形態によれば、地盤調査結果補正値生成工程Ｓ１５において指標の測定結果に基づいて地盤調査結果の補正値を生成し、杭基礎設計用地盤調査内容決定工程Ｓ１９において、地盤調査結果補正値生成工程Ｓ１５によって生成された補正値を考慮しているので、より正確な杭基礎設計用地盤調査結果に基づいて、杭基礎を設計可能である。
【０１１８】
幾つかの実施形態において、設計方法は、データベース２０に含まれる一の地盤調査結果の情報の補正値を、周辺の地盤調査結果の情報に基づいて生成する地盤調査結果整合工程Ｓ１７を更に備える。そして、杭基礎設計用地盤調査内容決定工程Ｓ１９において、地盤調査結果整合工程Ｓ１７によって生成された補正値を考慮する。
【０１１９】
上記実施形態によれば、地盤調査結果整合工程Ｓ１７においてデータベース２０に含まれる一の地盤調査結果の情報の補正値を、一の地盤調査結果の周辺の地盤調査結果の情報に基づいて生成し、杭基礎設計用地盤調査内容決定工程Ｓ１９において、地盤調査結果整合工程Ｓ１７によって生成された補正値を考慮しているので、より正確な杭基礎設計用地盤調査結果に基づいて、杭基礎を設計可能である。
【０１２０】
幾つかの実施形態では、設計方法は、地盤調査工程Ｓ２１を実施して得られた地盤調査結果を、位置情報と対応付けてデータベース２０に登録するデータベース更新工程Ｓ２３を更に備えている。
【０１２１】
図７は、図６に示した杭基礎の設計方法を杭基礎施工業者が実行した場合の概略的なタイミングチャートの一例を示している。
図７に示したように、顧客（施主又は設計事務所）は、建造物構築計画を立てると、施工現場の位置情報とともに、杭基礎の施工を杭基礎施工業者に依頼する。依頼を受けた杭基礎施工業者は、データベースを検索し、施工現場又はその周辺の過去の地盤調査結果（比較用地盤調査結果）を用意するとともに、過去の指標測定結果を用意する。そして、杭基礎施工業者は、用意した比較地盤調査結果に基づいて、用意した指標測定結果を考慮して、地盤調査内容（杭基礎設計用地盤調査内容）を決定する。それから、杭基礎施工業者は、地盤調査内容を顧客に提示する。
顧客は、提示された地盤調査内容を確認してから、杭基礎施工業者に地盤調査を指示する。指示を受けた杭基礎施工業者は、地盤調査を実施し、得られた地盤調査結果の確度を判定する。そして、判定結果に基づいて杭基礎を設計する。それから、杭基礎施工業者は、杭基礎設計内容を顧客に提示する。
顧客は、提示された杭基礎設計内容を確認してから、杭基礎施工業者に杭基礎構築を指示する。指示を受けた杭基礎施工業者は、杭基礎を構築し、顧客に引き渡す。最後に、杭基礎施工業者は、地盤調査結果と、杭基礎構築時に得られた指標測定結果をデータベースに登録して、一連の作業が終了する。
【０１２２】
図８は、図４に示した杭基礎の設計方法を杭基礎施工業者が実行した場合の概略的なタイミングチャートの一例を示している。
図８に示したように、顧客（施主又は設計事務所）は、建造物構築計画を立てると、施工現場の位置情報とともに、地盤調査を地盤調査業者に依頼する。依頼を受けた地盤調査業者は、地盤調査内容（杭基礎設計用地盤調査内容）を決定する。それから、地盤調査業者は、地盤調査内容を顧客に提示する。
顧客は、提示された地盤調査内容を確認してから、地盤調査業者に地盤調査を指示する。指示を受けた地盤調査業者は、地盤調査を実施し、得られた地盤調査結果を顧客に報告する。
顧客は、地盤調査結果を受け取ると、地盤調査結果及び施工現場の位置情報とともに、杭基礎の施工を杭基礎施工業者に依頼する。
依頼を受けた杭基礎施工業者は、データベースを検索し、施工現場又はその周辺の過去の地盤調査結果（比較用地盤調査結果）を用意するとともに、過去の指標測定結果を用意する。そして、杭基礎施工業者は、用意した比較地盤調査結果に基づいて、用意した指標測定結果を考慮して、地盤調査結果の確度を判定する。それから、杭基礎施工業者は、地盤調査結果の確度に応じて、例えば、追加の地盤調査内容を顧客に提示する。顧客は、追加の地盤調査内容を確認し、追加の地盤調査内容を杭基礎施工業者に指示する。
杭基礎施工業者は、追加地盤調査を実施し、得られた地盤調査結果に基づいて杭基礎を設計する。それから、杭基礎施工業者は、杭基礎設計内容を顧客に提示する。
顧客は、提示された杭基礎設計内容を確認してから、杭基礎施工業者に杭基礎構築を指示する。指示を受けた杭基礎施工業者は、杭基礎を構築し、顧客に引き渡す。最後に、杭基礎施工業者は、地盤調査結果と、杭基礎構築時に得られた指標測定結果をデータベースに登録して、一連の作業が終了する。
【０１２３】
本発明の一実施形態に係る杭基礎の施工方法は、上述した何れかの実施形態に係る杭基礎の設計方法によって作成された杭基礎の設計図に基づいて杭基礎を構築する杭基礎構築工程Ｓ２２を備える。
【０１２４】
上記構成の杭基礎の施工方法によれば、上記した何れかの実施形態に係る杭基礎の設計方法によって杭基礎の設計図を作成することにより、正確な地盤情報を基礎として杭基礎の設計図が作成される。この結果、構築された杭基礎が所期の支持力を確実に発揮する。
なお、杭基礎構築工程Ｓ２２を実施した場合、杭基礎構築工程Ｓ２２を実施して得られた、掘削ドリルに地盤から作用した抵抗に対応する指標の測定値を、指標の測定条件や指標の測定担当者等の情報とともに、位置情報と対応付けて、データベース更新工程Ｓ２３においてデータベースに登録してもよい。
【０１２５】
本発明の一実施形態に係る杭基礎の設計プログラムは、上記した何れかの実施形態に係る杭基礎の設計方法の少なくとも一部の工程を電子計算機に実行させるように構成されている。
【０１２６】
上記構成の杭基礎の設計プログラムによれば、上記した何れかの実施形態に係る杭基礎の設計方法の少なくとも一部の工程、例えば、比較用地盤調査結果用意工程Ｓ５及び地盤調査結果判定工程Ｓ７を電子計算機に実行させるので、大量の情報を活用可能であり、より正確な地盤情報に基づいて、杭基礎を容易に設計可能である。
【０１２７】
最後に本発明は上述した実施形態に限定されることはなく、上述した実施形態に変更を加えた形態や、これらの形態を適宜組み合わせた形態も含む。
【符号の説明】
【０１２８】
１０        杭基礎設計用地盤調査結果用意部
１２        記録部
１４        比較用地盤調査結果用意部
１６        地盤調査結果判定部
１８        杭基礎設計部
２０        データベース
２２        指標測定結果重み付け部
２４        地盤調査結果重み付け部
２６        地盤調査結果補正値生成部
２８        地盤調査結果整合部
３０        杭基礎設計用地盤調査内容決定部
Ｓ１        杭基礎設計用地盤調査結果用意工程
Ｓ３        データベース用意工程
Ｓ５        比較用地盤調査結果用意工程
Ｓ７        地盤調査結果判定工程
Ｓ９        設計工程
Ｓ１１      指標測定結果重み付け工程
Ｓ１３      地盤調査結果重み付け工程
Ｓ１５      地盤調査結果補正値生成工程
Ｓ１７      地盤調査結果整合工程
Ｓ１９      杭基礎設計用地盤調査内容決定工程
Ｓ２１      地盤調査工程
Ｓ２２      杭基礎構築工程
Ｓ２３      データベース更新工程
【図１】
2018084071.tif 000003
【図２】
2018084071.tif 000004
【図３】
2018084071.tif 000005
【図４】
2018084071.tif 000006
【図５】
2018084071.tif 000007
【図６】
2018084071.tif 000008
【図７】
2018084071.tif 000009
【図８】
2018084071.tif 000010